(57)【特許請求の範囲】
【請求項１】
第１方式で通信可能な第１セルと第２方式で通信可能な第２セルとの重複エリアにおいて、前記第１セルを待ち受け及び通信を行う在圏セルとする移動端末であって、
前記第１方式のネットワーク側装置から報知された報知情報を受信する受信部と、
前記受信部によって受信された報知情報に第２セル検出識別子が含まれる場合、該移動端末が前記第２セルの圏内であると推定する推定部と、
前記推定部によって前記第２セルの圏内であると推定された場合、該移動端末が前記第２セルの圏内であることを表示する表示部と、
前記第１セル及び前記第２セルの優先度を判断する優先度判断部と、を具備し、
前記推定部は、前記優先度判断部によって前記第１セルよりも前記第２セルの優先度が低いと判断された場合で、かつ、前記受信部によって受信された報知情報に第２セル検出識別子が含まれる場合、該移動端末が前記第２セルの圏内であると推定することを特徴とする移動端末。
【請求項２】
第１方式で通信可能な第１セルと第２方式で通信可能な第２セルとの重複エリアにおいて、前記第１セルを待ち受け及び通信を行う在圏セルとする移動端末であって、
前記第１方式のネットワーク側装置から報知された報知情報を受信する受信部と、
前記受信部によって受信された報知情報に第２セル検出識別子が含まれる場合、該移動端末が前記第２セルの圏内であると推定する推定部と、
前記推定部によって前記第２セルの圏内であると推定された場合、該移動端末が前記第２セルの圏内であることを表示する表示部と、
前記第１セル及び前記第２セルの優先度を判断する優先度判断部と、を具備し、
前記推定部は、前記優先度判断部によって前記第１セルよりも前記第２セルの優先度が高いと判断された場合で、かつ、前記受信部によって受信された報知情報に第２セル検出識別子が含まれる場合、該移動端末が前記第２セルの圏内であると推定することを特徴とする移動端末。
【請求項３】
前記受信部は、前記報知情報に加えて前記第１方式のネットワーク側装置から該移動端末に個別に通知された個別優先度情報を受信可能であり、
前記優先度判断部は、前記受信部によって前記報知情報に加えて前記個別優先度情報が受信された場合、該個別優先度情報に従って前記第１セル及び前記第２セルの優先度を判断することを特徴とする請求項１又は２に記載の移動端末。
【請求項４】
前記推定部は、前記優先度判断部によって前記個別優先度情報に従って前記第１セルよりも前記第２セルの優先度が低いと判断された場合で、かつ、該個別優先度情報に前記第２セル検出識別子が含まれる場合であっても、前記報知情報に前記第２セル検出識別子が含まれない場合は、前記移動端末が前記第２セルの圏外であると推定することを特徴とする請求項３に記載の移動端末。
【請求項５】
前記報知情報は、ＳＩＢ（Ｓｙｓｔｅｍ  Ｉｎｆｏｒｍａｔｉｏｎ  Ｂｌｏｃｋ）１９であり、
前記第２セル検出識別子は、ＴＲＵＥに設定されたＥ−ＵＴＲＡ  Ｄｅｔｅｃｔｉｏｎであることを特徴とする請求項１から請求項４のいずれかに記載の移動端末。
【請求項６】
第１方式で通信可能な第１セルと第２方式で通信可能な第２セルとの重複エリアにおいて、前記第１セルを、待ち受け及び通信を行う在圏セルとする移動端末が、前記第１方式のネットワーク側装置から報知された報知情報を受信する工程と、
受信された前記報知情報に第２セル検出識別子が含まれる場合、該移動端末が前記第２セルの圏内であると推定する工程と、
前記第２セルの圏内であると推定された場合、該移動端末が前記第２セルの圏内であることを表示する工程と、
前記第１セル及び前記第２セルの優先度を判断する工程と、を有し、
前記推定する工程において、前記優先度を判断する工程において前記第１セルよりも前記第２セルの優先度が低いと判断された場合で、かつ、前記受信する工程において受信された報知情報に第２セル検出識別子が含まれる場合、該移動端末が前記第２セルの圏内であると推定することを特徴とする移動通信方法。
【請求項７】
第１方式で通信可能な第１セルと第２方式で通信可能な第２セルとの重複エリアにおいて、前記第１セルを、待ち受け及び通信を行う在圏セルとする移動端末が、前記第１方式のネットワーク側装置から報知された報知情報を受信する工程と、
受信された前記報知情報に第２セル検出識別子が含まれる場合、該移動端末が前記第２セルの圏内であると推定する工程と、
前記第２セルの圏内であると推定された場合、該移動端末が前記第２セルの圏内であることを表示する工程と、
前記第１セル及び前記第２セルの優先度を判断する工程と、を有し、
前記推定する工程において、前記優先度を判断する工程において前記第１セルよりも前記第２セルの優先度が高いと判断された場合で、かつ、前記受信する工程において受信された報知情報に第２セル検出識別子が含まれる場合、該移動端末が前記第２セルの圏内であると推定することを特徴とする移動通信方法。
【発明の詳細な説明】
【技術分野】
【０００１】
本発明は、第１方式で通信可能な第１セルと第２方式で通信可能な第２セルとの重複エリアにおいて、第１セルを待ち受け及び通信を行う在圏セルとする移動端末及び移動通信方法に関する。
【背景技術】
【０００２】
ところで、近年では、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式で通信可能なセル（以下、ＵＭＴＳセルという）と、ＵＭＴＳ方式よりも大容量コンテンツのダウンロードを高速に行うことが可能なＬＴＥ（Ｌｏｎｇ  Ｔｅｒｍ  Ｅｖｏｌｕｔｉｏｎ）方式で通信可能なセル（以下、ＬＴＥセルという）との重複エリアも拡大している。【０００３】
このようなＵＭＴＳセルとＬＴＥセルとの重複エリアでは、いずれのセルに在圏するのかを移動端末の表示画面に適切に表示させることにより、ユーザの利便性を高めることが知られている（例えば、特許文献１）。
【先行技術文献】
【特許文献】
【０００４】
【特許文献１】特開２０１０−２８２３８号公報
【発明の概要】
【発明が解決しようとする課題】
【０００５】
しかしながら、上述の特許文献１に記載の技術では、ＵＭＴＳセルを在圏セルとする移動端末が、表示画面にＬＴＥセルの圏内であることを表示させるためには、在圏セル付近のＬＴＥセルのセルサーチを行う必要がある。【０００６】
このため、在圏セルであるＵＭＴＳセルにおける無線環境が良好であり、在圏セルをＬＴＥセルに変更する必要がない場合であっても、表示画面にＬＴＥセルの圏内であることを表示させるためだけに、ＬＴＥセルのセルサーチを行わなければならないという問題点があった。【０００７】
本発明は、かかる点に鑑みてなされたものであり、ＵＭＴＳセルを在圏セルとする移動端末が、在圏セル付近のＬＴＥセルのセルサーチを行わずとも、表示画面にＬＴＥセルの圏内であることを表示可能な移動端末及び移動通信方法を提供することを目的とする。
【課題を解決するための手段】
【０００８】
本発明の第１側面に係る移動端末は、第１方式で通信可能な第１セルと第２方式で通信可能な第２セルとの重複エリアにおいて、前記第１セルを待ち受け及び通信を行う在圏セルとする移動端末であって、前記第１方式のネットワーク側装置から報知された報知情報を受信する受信部と、前記受信部によって受信された報知情報に第２セル検出識別子が含まれる場合、該移動端末が前記第２セルの圏内であると推定する推定部と、前記推定部によって前記第２セルの圏内であると推定された場合、該移動端末が前記第２セルの圏内であることを表示する表示部と、前記第１セル及び前記第２セルの優先度を判断する優先度判断部と、を具備し、前記推定部は、前記優先度判断部によって前記第１セルよりも前記第２セルの優先度が低いと判断された場合で、かつ、前記受信部によって受信された報知情報に第２セル検出識別子が含まれる場合、該移動端末が前記第２セルの圏内であると推定する。
【０００９】
この構成によれば、第１セルを在圏セルとする移動端末が、受信した報知情報に第２セル検出識別子が含まれるか否かを判断するだけで、表示画面に第２セルの圏内であることを表示させることができる。したがって、表示画面に第２セルの圏内であることを表示させるためだけに、第２セルのセルサーチを行う必要がなく、当該セルサーチによる移動端末の処理負荷や消費電力の増大を防止することができる。【００１１】
この構成によれば、第１セルを在圏セルとする移動端末は、在圏セルである第１セルにおける無線環境が良好であり、在圏セルを第２セルに変更する必要がない場合であっても、表示画面にＬＴＥセルの圏内であるか否かを示させるためだけに、在圏セルである第１セルよりも優先度の低い第２セルのセルサーチを行う必要がなく、移動端末の処理負荷や消費電力を軽減することができる。【００１２】
また、第１側面に係る移動端末は、第１方式で通信可能な第１セルと第２方式で通信可能な第２セルとの重複エリアにおいて、前記第１セルを待ち受け及び通信を行う在圏セルとする移動端末であって、前記第１方式のネットワーク側装置から報知された報知情報を受信する受信部と、前記受信部によって受信された報知情報に第２セル検出識別子が含まれる場合、該移動端末が前記第２セルの圏内であると推定する推定部と、前記推定部によって前記第２セルの圏内であると推定された場合、該移動端末が前記第２セルの圏内であることを表示する表示部と、前記第１セル及び前記第２セルの優先度を判断する優先度判断部と、を具備し、前記推定部は、前記優先度判断部によって前記第１セルよりも前記第２セルの優先度が高いと判断された場合で、かつ、前記受信部によって受信された報知情報に第２セル検出識別子が含まれる場合、該移動端末が前記第２セルの圏内であると推定する。
【００１３】
この構成によれば、第１セルを在圏セルとする移動端末は、在圏セルである第１セルにおける無線環境が良好であり、在圏セルを第２セルに変更する必要がない場合であっても、表示画面にＬＴＥセルの圏内であるか否かを示させるためだけに、在圏セルである第１セルよりも優先度の高い第２セルのセルサーチを行う必要がなく、移動端末の処理負荷や消費電力を軽減することができる。【００１４】
第１側面に係る移動端末において、前記受信部は、前記報知情報に加えて前記第１方式のネットワーク側装置から該移動端末に個別に通知された個別優先度情報を受信可能であり、前記優先度判断部は、前記受信部によって前記報知情報に加えて前記個別優先度情報が受信された場合、該個別優先度情報に従って前記第１セル及び前記第２セルの優先度を判断する。【００１５】
この構成によれば、第１方式のネットワーク側装置から個別優先度情報が移動端末に対して個別に通知される場合でも、移動端末は、第１セル及び第２セルの優先度を適切に判断することができる。【００１６】
第１側面に係る移動端末において、前記推定部は、前記優先度判断部によって前記個別優先度情報に従って前記第１セルよりも前記第２セルの優先度が低いと判断された場合で、かつ、該個別優先度情報に前記第２セル検出識別子が含まれる場合であっても、前記報知情報に前記第２セル検出識別子が含まれない場合は、該移動端末が前記第２セルの圏外であると推定する。【００１７】
この構成によれば、移動端末に個別に通知された個別優先度情報に基づいて第１セル及び第２セルの優先度が判断される場合であっても、無線環境やネットワーク状況等に応じて適宜更新される報知情報に第２セル検出識別子が含まれるか否かによって、該移動端末が前記第２セルの圏内であるか否かを推定することができる。したがって、移動端末が既に第２セルの圏外に移動しているのに、古い個別優先度情報に基づいて、第２セルの圏内であると推定してしまうのを防止することができる。【００１８】
第１側面に係る移動端末において、前記報知情報は、ＳＩＢ（Ｓｙｓｔｅｍ  Ｉｎｆｏｒｍａｔｉｏｎ  Ｂｌｏｃｋ）１９であり、前記第２セル検出識別子は、ＴＲＵＥに設定されたＥ−ＵＴＲＡ  Ｄｅｔｅｃｔｉｏｎである。【００１９】
本発明の第２側面に係る移動通信方法は、第１方式で通信可能な第１セルと第２方式で通信可能な第２セルとの重複エリアにおいて、前記第１セルを、待ち受け及び通信を行う在圏セルとする移動端末が、前記第１方式のネットワーク側装置から報知された報知情報を受信する工程と、受信された前記報知情報に第２セル検出識別子が含まれる場合、該移動端末が前記第２セルの圏内であると推定する工程と、前記第２セルの圏内であると推定された場合、該移動端末が前記第２セルの圏内であることを表示する工程と、前記第１セル及び前記第２セルの優先度を判断する工程と、を有し、前記推定する工程において、前記優先度を判断する工程において前記第１セルよりも前記第２セルの優先度が低いと判断された場合で、かつ、前記受信する工程において受信された報知情報に第２セル検出識別子が含まれる場合、該移動端末が前記第２セルの圏内であると推定する。また、第２側面に係る移動通信方法は、第１方式で通信可能な第１セルと第２方式で通信可能な第２セルとの重複エリアにおいて、前記第１セルを、待ち受け及び通信を行う在圏セルとする移動端末が、前記第１方式のネットワーク側装置から報知された報知情報を受信する工程と、受信された前記報知情報に第２セル検出識別子が含まれる場合、該移動端末が前記第２セルの圏内であると推定する工程と、前記第２セルの圏内であると推定された場合、該移動端末が前記第２セルの圏内であることを表示する工程と、前記第１セル及び前記第２セルの優先度を判断する工程と、を有し、前記推定する工程において、前記優先度を判断する工程において前記第１セルよりも前記第２セルの優先度が高いと判断された場合で、かつ、前記受信する工程において受信された報知情報に第２セル検出識別子が含まれる場合、該移動端末が前記第２セルの圏内であると推定する。
【発明の効果】
【００２０】
本発明によれば、ＵＭＴＳセルを在圏セルとする移動端末が、在圏セル付近のＬＴＥセルのセルサーチを行わずとも、表示画面にＬＴＥセルの圏内であることを表示可能な移動端末及び移動通信方法を提供できる。
【図面の簡単な説明】
【００２１】
【図１】本発明の第１の実施形態に係る移動通信システムの構成図である。
【図２】本発明の第１の実施形態に係る移動端末の機能ブロック図である。
【図３】本発明の第１の実施形態に係る移動端末の表示画面を示す図である。
【図４】本発明の第１の実施形態に係る移動端末の動作を示すフローチャートである。
【図５】本発明の第１の実施形態に係る移動端末の動作を示すフローチャートである。
【図６】本発明の第１の実施形態に係る共通優先度情報に従った表示制御動作を説明するための図である。
【図７】本発明の第１の実施形態に係る個別優先度情報に従った表示制御動作を説明するための図である。
【発明を実施するための形態】
【００２２】
以下、本発明の実施形態について説明する。なお、以下の図面の記載において、同一の部分には、同一の符号を付している。
【００２３】
＜移動通信システムの概略構成＞
図１は、本発明の第１の実施形態に係る移動通信システムの概略構成を示す図である。図１に示すように、移動通信システム１では、ＵＭＴＳ方式（第１方式）で通信可能なＵＭＴＳセルＡ（第１セル）とＬＴＥ方式（第２方式）で通信可能なＬＴＥセルＢ（第２セル）とが、一部で地理的に重複するように配置されている。ＵＭＴＳセルＡは、ＵＭＴＳ方式で通信可能なセルに限られず、ＬＴＥセルＢで用いられる通信方式よりも前の世代の通信方式で通信可能なセルであってもよい。また、ＬＴＥセルＢは、ＬＴＥ方式で通信可能なセルに限られず、他の第３．９世代の通信方式や、ＬＴＥ−Ａｄｖａｎｃｅｄ方式などの第４世代以降の通信方式で通信可能なセルであってもよい。
【００２４】
また、移動通信システム１では、携帯電話、ノートパソコン、携帯型ゲーム機などの種々の移動端末であるＵＥ１０は、待ち受け及び通信を行う在圏セルを、ＵＭＴＳセルＡ又はＬＴＥセルＢのいずれかに適応的に変更するように構成されている。
【００２５】
ＵＥ１０は、ＵＭＴＳセルＡを在圏セルとする場合、ＵＭＴＳセルＡを形成する無線基地局であるＮＢ（ＮｏｄｅＢ）２０を介して、ＮＢ２０に接続された無線制御装置であるＲＮＣ３０（ネットワーク側装置）との間でＲＲＣ（Ｒａｄｉｏ  Ｒｅｓｏｕｒｃｅ  Ｃｏｎｔｒｏｌ）プロトコルの制御信号を送受信する。また、ＵＥ１０は、ＬＴＥセルＢを在圏セルとする場合、ＬＴＥセルＢを形成する無線基地局であるｅＮＢ（ｅＮｏｄｅＢ）４０とＲＲＣプロトコルの制御信号を送受信する。
【００２６】
ＲＮＣ３０は、ＵＭＴＳセルＡ及びＬＴＥセルＢの重複エリアにおいて、ＵＭＴＳセルＡを在圏セルとするＵＥ１０に対して、共通優先度（Ｃｏｍｍｏｎ  Ｐｒｉｏｒｉｔｙ）情報を報知するように構成されている。ここで、共通優先度情報とは、ＵＭＴＳセルＡを在圏セルとするＵＥ１０に対して共通的に報知される報知情報に含まれるものであり、ＵＭＴＳセルＡ及びＬＴＥセルＢの優先度を示す。例えば、報知情報としては、ＲＮＣ３０からＵＥ１０に報知される「ＳＩＢ（Ｓｙｓｔｅｍ  Ｉｎｆｏｒｍａｔｉｏｎ  Ｂｌｏｃｋ）１９」が用いられ、共通優先度情報としては、「ＳＩＢ１９」に含まれる「Ｅ−ＵＴＲＡ  ｆｒｅｑｕｅｎｃｙ  ａｎｄ  ｐｒｉｏｒｉｔｙ  ｉｎｆｏ  ｌｉｓｔ」が用いられる。
【００２７】
また、ＲＮＣ３０は、ＵＭＴＳセルＡ及びＬＴＥセルＢの重複エリアにおいて、ＵＭＴＳセルＡを在圏セルとするＵＥ１０に対して、個別優先度（Ｄｅｄｉｃａｔｅｄ  Ｐｒｉｏｒｉｔｙ）情報を通知するように構成されていてもよい。ここで、個別優先度情報とは、ＵＭＴＳセルＡを在圏セルとするＵＥ１０に対して個別に通知されるものであり、ＵＭＴＳセルＡ及びＬＴＥセルＢの優先度とを示す。例えば、個別優先度情報としては、「ＵＴＲＡＮ  Ｍｏｂｉｌｉｔｙ  Ｉｎｆｏｒｍａｔｉｏｎ」の「Ｄｅｄｉｃａｔｅｄ  Ｐｒｉｏｒｉｔｙ  Ｉｎｆｏｒｍａｔｉｏｎ」が用いられる。
【００２８】
また、ＲＮＣ３０は、ＵＭＴＳセルＡ及びＬＴＥセルＢの重複エリアにおいて、ＵＭＴＳセルＡを在圏セルとするＵＥ１０に対して、ＬＴＥセル検出識別子を含む報知情報を報知する。ここで、ＬＴＥセル検出識別子（第２セル検出識別子）とは、ＵＭＴＳセルＡと地理的に重複又は近接するＬＴＥセルＢが存在することを示す識別子である。ＬＴＥセル検出識別子としては、例えば、「ＴＲＵＥ」に設定された「Ｅ−ＵＴＲＡ  ｄｅｔｅｃｔｉｏｎ」が用いられる。
【００２９】
なお、ＬＴＥセル検出識別子として用いられる「Ｅ−ＵＴＲＡ  ｄｅｔｅｃｔｉｏｎ」は、「ＳＩＢ１９」及び「ＵＴＲＡＮ  Ｍｏｂｉｌｉｔｙ  Ｉｎｆｏｒｍａｔｉｏｎ」のいずれにも含まれる情報要素であるが、後述するように、ＵＥ１０は、「ＳＩＢ１９」に「ＴＲＵＥ」が設定された「Ｅ−ＵＴＲＡ  ｄｅｔｅｃｔｉｏｎ」が含まれるか否かによって、ＬＴＥセルの圏内であるか否かを推定する。
【００３０】
＜ＵＥの構成＞
次に、移動通信システム１におけるＵＥ１０の構成を説明する。なお、ＵＥ１０は、通信インターフェース、プロセッサ、メモリ、ディスプレイ、入力キーを含むハードウェアを有しており、メモリには、プロセッサによって実行されるソフトウェアモジュールが記憶されている。後述するＵＥ１０の機能構成は、上述のハードウェアによって実現されてもよいし、プロセッサによって実行されるソフトウェアモジュールによって実現されてもよいし、両者の組み合わせによって実現されてもよい。
【００３１】
図２は、本発明の第１の実施形態に係るＵＥの機能構成図である。図２に示すように、ＵＥ１０は、無線通信部１１、優先度判断部１２、推定部１３、表示部１４、指示受付部１５を具備する。
【００３２】
無線通信部１１は、ＵＭＴＳセルＡを在圏セルとする場合、ＮＢ２０と無線信号を送受信する。具体的には、無線通信部１１（受信部）は、ＵＭＴＳセルＡを在圏セルとする場合、ＲＮＣ３０から報知された報知情報を受信する。また、無線通信部１１は、ＵＭＴＳセルＡを在圏セルとする場合、ＲＮＣ３０から個別に通知された個別優先度情報を、ＮＢ２０を介して受信してもよい。なお、無線通信部１１は、ＲＮＣ３０以外のネットワーク側装置から報知された報知情報や、ＲＮＣ３０以外のネットワーク側装置から通知された個別優先度情報を受信してもよい。
【００３３】
また、無線通信部１１は、ＬＴＥセルＢを在圏セルとする場合、ｅＮＢ４０と無線信号を送受信する。
【００３４】
優先度判断部１２は、ＵＭＴＳセルＡ及びＬＴＥセルＢの優先度を判断する。具体的には、優先度判断部１２は、無線通信部１１によって共通優先度情報を含む報知情報が受信された場合、当該共通優先度情報に従ってＵＭＴＳセルＡ及びＬＴＥセルＢの優先度を判断する。また、優先度判断部１２は、無線通信部１１によって共通優先度情報を含む報知情報に加えて個別優先度情報が受信された場合、当該個別優先度情報に従ってＵＭＴＳセルＡ及びＬＴＥセルＢの優先度を判断する。
【００３５】
推定部１３は、ＵＭＴＳセルＡを在圏セルとする場合に、後述する指示受付部１５からの要求に応じて、無線通信部１１によって受信された報知情報にＬＴＥ検出識別子が含まれるか否かによって、ＵＥ１０がＬＴＥセルＢの圏内であるか否かを推定する。なお、推定部１３は、指示受付部１５からの要求がなくとも、無線通信部１１による報知情報の受信に応じて、ＬＴＥセルＢの圏内であるか否かを推定してもよい。
【００３６】
具体的には、推定部１３は、優先度判断部１２によってＵＭＴＳセルＡよりもＬＴＥセルＢの優先度が低いと判断された場合で、かつ、無線通信部１１によって受信された報知情報にＬＴＥ検出識別子が含まれる場合、在圏セルであるＵＭＴＳセルＡよりも優先度の低いＬＴＥセルＢのセルサーチを行わずに、ＵＥ１０がＬＴＥセルＢの圏内であると推定する。例えば、推定部１３は、無線通信部１１によって受信された「ＳＩＢ１９」に「ＴＲＵＥ」に設定された「Ｅ−ＵＴＲＡ  ｄｅｔｅｃｔｉｏｎ」が含まれる場合、ＵＥ１０がＬＴＥセルＢの圏内であると推定する。
【００３７】
また、推定部１３は、優先度判断部１２によってＵＭＴＳセルＡよりもＬＴＥセルＢの優先度が低いと判断された場合で、かつ、無線通信部１１によって受信された報知情報にＬＴＥ検出識別子が含まれない場合、在圏セルであるＵＭＴＳセルＡよりも優先度の低いＬＴＥセルＢのセルサーチを行わずに、ＵＥ１０がＬＴＥセルＢの圏内ではない（すなわち、圏外である）と推定してもよい。例えば、推定部１３は、無線通信部１１によって受信された「ＳＩＢ１９」に「ＦＡＬＳＥ」に設定された「Ｅ−ＵＴＲＡ  ｄｅｔｅｃｔｉｏｎ」が含まれる場合、或いは、「ＳＩＢ１９」に「Ｅ−ＵＴＲＡ  ｄｅｔｅｃｔｉｏｎ」の情報要素自体が含まれない場合、ＵＥ１０がＬＴＥセルＢの圏外であると推定する。また、推定部１３は、無線通信部１１によって受信されたＳＩＢ１９に「Ｅ−ＵＴＲＡ  ｆｒｅｑｕｅｎｃｙ  ａｎｄ  ｐｒｉｏｒｉｔｙ  ｉｎｆｏ  ｌｉｓｔ」の情報要素自体が含まれない場合に、ＵＥ１０がＬＴＥセルＢの圏外であると推定してもよい。
【００３８】
また、推定部１３は、優先度判断部１２によってＵＭＴＳセルＡよりもＬＴＥセルＢの優先度が高いと判断された場合で、かつ、無線通信部１１によって受信された報知情報にＬＴＥ検出識別子が含まれる場合、在圏セルであるＵＭＴＳセルＡよりも優先度の高いＬＴＥセルＢのセルサーチを行わずに、ＵＥ１０がＬＴＥセルＢの圏内であると推定してもよい。
【００３９】
また、推定部１３は、優先度判断部１２によってＵＭＴＳセルＡよりもＬＴＥセルＢの優先度が高いと判断された場合で、かつ、無線通信部１１によって受信された報知情報にＬＴＥ検出識別子が含まれない場合、在圏セルであるＵＭＴＳセルＡよりも優先度の高いＬＴＥセルＢのセルサーチを行わずに、ＵＥ１０がＬＴＥセルＢの圏内ではない（すなわち、圏外である）と推定してもよい。
【００４０】
表示部１４は、各種表示画面を表示する。図３は、第１の実施形態に係る表示部１４による表示画面を示す図である。表示部１４は、ＵＭＴＳセルＡを在圏セルとする場合で、かつ、推定部１３によってＬＴＥセルＢの圏内であると推定された場合、例えば、図３Ａに示すように、ＵＥ１０がＬＴＥセルＢの圏内であることを表示する。
【００４１】
また、表示部１４は、ＵＭＴＳセルＡを在圏セルとする場合で、かつ、推定部１３によってＬＴＥセルＢの圏外であると推定された場合、例えば、図３Ｂに示すように、ＬＴＥセルＢの圏外であることを表示しなくてもよいし、例えば、図３Ｃに示すように、ＬＴＥセルＢの圏外であることを表示してもよい。
【００４２】
また、表示部１４は、ＬＴＥセルＢを在圏セルとしている場合、或いは、後述する待ち受け処理部１６により在圏セルがＬＴＥセルＢに変更された場合に、例えば、図３Ａに示すように、ＵＥ１０がＬＴＥセルＢの圏内であることを表示してもよい。
【００４３】
指示受付部１５は、ユーザからのＬＴＥセルＢの圏内であるか否かの表示指示を受け付ける。指示受付部１５は、当該表示指示の受付に応じて、推定部１３にＬＴＥセルＢの圏内であるか否かの推定を要求する。
【００４４】
＜移動通信システムの動作＞
次に、以上のように構成された移動通信システム１の動作について説明する。
【００４５】
（１）ＵＥ１０の動作
第１に、ＵＭＴＳセルＡよりもＬＴＥセルＢの優先度が低い場合に、ＵＭＴＳセルＡを在圏セルとするＵＥ１０の動作について説明する。図４は、本発明の第１の実施形態に係るＵＥの動作を示すフローチャートである。
【００４６】
図４に示すように、ＵＥ１０の無線通信部１１は、ＲＮＣ３０から報知された報知情報を受信し、優先度判断部１２は、受信された報知情報に含まれる共通優先度情報を取得する（ステップＳ１０１）。優先度判断部１２は、ＵＭＴＳセルＡよりもＬＴＥセルＢの優先度が低いことを示す個別優先度情報が無線通信部１１によって受信されたか否かを判断する（ステップＳ１０２）。
【００４７】
ＵＭＴＳセルＡよりもＬＴＥセルＢの優先度が低いことを示す個別優先度情報が受信された場合（ステップＳ１０２；Ｙｅｓ）、優先度判断部１２は、当該個別優先度情報に従って、ＵＭＴＳセルＡよりもＬＴＥセルＢの優先度が低いと判断し、本動作は、ステップＳ１０４に進む。
【００４８】
一方、ＵＭＴＳセルＡよりもＬＴＥセルＢの優先度が低いことを示す個別優先度情報が受信されなかった場合（ステップＳ１０２；Ｎｏ）、優先度判断部１２は、ステップＳ１０１で取得された共通優先度情報に従って、ＵＭＴＳセルＡよりもＬＴＥセルＢの優先度が低いか否かを判断する（ステップＳ１０３）。
【００４９】
優先度判断部１２が共通優先度情報に従ってＵＭＴＳセルＡよりもＬＴＥセルＢの優先度が低いと判断した場合（ステップＳ１０３；Ｙｅｓ）、本動作は、ステップＳ１０４に進む。一方、優先度判断部１２が共通優先度情報に従ってＵＭＴＳセルＡよりもＬＴＥセルＢの優先度が高いと判断した場合（ステップＳ１０３；Ｎｏ）、本動作は、終了する。
【００５０】
ＵＭＴＳセルＡよりもＬＴＥセルＢの優先度が低いと判断された場合（ステップＳ１０２；Ｙｅｓ又はステップＳ１０３；Ｙｅｓ）、推定部１３は、無線通信部１１によって受信された報知情報にＬＴＥセル検出識別子が含まれるか否かを判断する（ステップＳ１０４）。
【００５１】
推定部１３は、無線通信部１１によって受信された報知情報にＬＴＥセル検出識別子が含まれる場合（ステップＳ１０４；Ｙｅｓ）、ＵＥ１０がＬＴＥセルＢの圏内であると推定し、指示受付部１５によってユーザからのＬＴＥセルＢの圏内であるか否かの表示指示が受け付けられたか否かを判断する（ステップＳ１０５）。
【００５２】
指示受付部１５によって表示指示が受け付けられた場合（ステップＳ１０５；Ｙｅｓ）、表示部１４は、推定部１３による推定結果に従って、例えば、図３Ａに示すように、ＵＥ１０がＬＴＥセルＢの圏内であることを表示する（ステップＳ１０６）。かかる表示により、ＵＥ１０のユーザは、ＬＴＥ方式に特化したアプリケーションが利用可能であること、大容量コンテンツのダウンロードが可能であることを認識できる。
【００５３】
一方、指示受付部１５によって表示指示が受け付けられていない場合（ステップＳ１０５；Ｎｏ）、表示部１４は、表示動作を行わず、本動作は終了する。なお、ステップＳ１０５は省略可能であり、表示部１４は、指示受付部１５によって表示指示が受け付けられたか否かに関係なく、推定部１３による推定結果に従ってＵＥ１０がＬＴＥセルＢの圏内であることを表示してもよい。
【００５４】
推定部１３は、無線通信部１１によって受信された報知情報にＬＴＥセル検出識別子が含まれない場合（ステップＳ１０４；Ｎｏ）、ＵＥ１０がＬＴＥセルＢの圏外であると推定し、指示受付部１５によってユーザからのＬＴＥセルＢの圏内であるか否かの表示指示が受け付けられたか否かを判断する（ステップＳ１０７）。
【００５５】
指示受付部１５によって表示指示が受け付けられた場合（ステップＳ１０７；Ｙｅｓ）、表示部１４は、推定部１３による推定結果に従って、例えば、図３Ｂに示すように、ＵＥ１０がＬＴＥセルＢの圏内であることを表示しないか、或いは、図３Ｃに示すように、ＵＥ１０がＬＴＥセルＢの圏外であることを表示する（ステップＳ１０８）。
【００５６】
一方、指示受付部１５によって表示指示が受け付けられていない場合（ステップＳ１０７；Ｎｏ）、表示部１４は、表示動作を行わず、本動作は終了する。なお、ステップＳ１０７は省略可能であり、表示部１４は、指示受付部１５によって表示指示が受け付けられたか否かに関係なく、推定部１３による推定結果に従ってＵＥ１０がＬＴＥセルＢの圏外であることを表示してもよい。
【００５７】
このように、推定部１３は、報知情報にＬＴＥセル検出識別子が含まれるか否かによって、ＵＥ１０がＬＴＥセルＢの圏内であるか否かを推定し、表示部１４は、推定部１３による推定結果に応じて、ＬＴＥセルＢの圏内であるか否かを表示させることができる。したがって、在圏セルであるＵＭＴＳセルＡにおける無線環境が良好であり、在圏セルをＬＴＥセルに変更する必要がない場合であっても、表示画面にＬＴＥセルの圏内であるか否かを示させるためだけに、在圏セルであるＵＭＴＳセルＡよりも優先度の低いＬＴＥセルＢのセルサーチである低優先度セルサーチ（Ｌｏｗｅｒ）  Ｐｒｉｏｒｉｔｙ  Ｓｅａｒｃｈ）を行う必要がなく、移動端末の処理負荷や消費電力を軽減することができる。
【００５８】
第２に、ＵＭＴＳセルＡよりもＬＴＥセルＢの優先度が高い場合に、ＵＭＴＳセルＡを在圏セルとするＵＥ１０の動作について説明する。図５は、本発明の第１の実施形態に係るＵＥの動作を示すフローチャートである。
【００５９】
図５に示すように、ＵＥ１０の無線通信部１１は、ＲＮＣ３０から報知された報知情報を受信し、優先度判断部１２は、受信された報知情報に含まれる共通優先度情報を取得する（ステップＳ２０１）。優先度判断部１２は、ＵＭＴＳセルＡよりもＬＴＥセルＢの優先度が高いことを示す個別優先度情報が無線通信部１１によって受信されたか否かを判断する（ステップＳ２０２）。
【００６０】
ＵＭＴＳセルＡよりもＬＴＥセルＢの優先度が高いことを示す個別優先度情報が受信された場合（ステップＳ２０２；Ｙｅｓ）、優先度判断部１２は、当該個別優先度情報に従って、ＵＭＴＳセルＡよりもＬＴＥセルＢの優先度が高いと判断し、本動作は、ステップＳ２０４に進む。
【００６１】
一方、ＵＭＴＳセルＡよりもＬＴＥセルＢの優先度が高いことを示す個別優先度情報が受信されなかった場合（ステップＳ２０２；Ｎｏ）、優先度判断部１２は、ステップＳ２０２で取得された共通優先度情報に従って、ＵＭＴＳセルＡよりもＬＴＥセルＢの優先度が高いか否かを判断する（ステップＳ２０３）。
【００６２】
優先度判断部１２が共通優先度情報に従ってＵＭＴＳセルＡよりもＬＴＥセルＢの優先度が高いと判断した場合（ステップＳ２０３；Ｙｅｓ）、本動作は、ステップＳ２０４に進む。一方、優先度判断部１２が共通優先度情報に従ってＵＭＴＳセルＡよりもＬＴＥセルＢの優先度が低いと判断した場合（ステップＳ２０３；Ｎｏ）、本動作は、終了する。
【００６３】
ＵＭＴＳセルＡよりもＬＴＥセルＢの優先度が高いと判断された場合（ステップＳ２０２；Ｙｅｓ又はステップＳ２０３；Ｙｅｓ）、推定部１３は、無線通信部１１によって受信された報知情報にＬＴＥセル検出識別子が含まれるか否かを判断する（ステップＳ２０４）。
【００６４】
推定部１３は、無線通信部１１によって受信された報知情報にＬＴＥセル検出識別子が含まれる場合（ステップＳ２０４；Ｙｅｓ）、ＵＥ１０がＬＴＥセルＢの圏内であると推定し、指示受付部１５によってユーザからのＬＴＥセルＢの圏内であるか否かの表示指示が受け付けられたか否かを判断する（ステップＳ２０５）。
【００６５】
指示受付部１５によって表示指示が受け付けられた場合（ステップＳ２０５；Ｙｅｓ）、表示部１４は、推定部１３による推定結果に従って、例えば、図３Ａに示すように、ＵＥ１０がＬＴＥセルＢの圏内であることを表示する（ステップＳ２０６）。かかる表示により、ＵＥ１０のユーザは、ＬＴＥ方式に特化したアプリケーションが利用可能であること、大容量コンテンツのダウンロードが可能であることを認識できる。
【００６６】
一方、指示受付部１５によって表示指示が受け付けられていない場合（ステップＳ２０５；Ｎｏ）、表示部１４は、表示動作を行わず、本動作は終了する。なお、ステップＳ２０５は省略可能であり、表示部１４は、指示受付部１５によって表示指示が受け付けられたか否かに関係なく、推定部１３による推定結果に従ってＵＥ１０がＬＴＥセルＢの圏内であることを表示してもよい。
【００６７】
推定部１３は、無線通信部１１によって受信された報知情報にＬＴＥセル検出識別子が含まれない場合（ステップＳ２０４；Ｎｏ）、ＵＥ１０がＬＴＥセルＢの圏外であると推定し、指示受付部１５によってユーザからのＬＴＥセルＢの圏内であるか否かの表示指示が受け付けられたか否かを判断する（ステップＳ２０７）。
【００６８】
指示受付部１５によって表示指示が受け付けられた場合（ステップＳ２０７；Ｙｅｓ）、表示部１４は、推定部１３による推定結果に従って、例えば、図３Ｂに示すように、ＵＥ１０がＬＴＥセルＢの圏内であることを表示しないか、或いは、図３Ｃに示すように、ＵＥ１０がＬＴＥセルＢの圏外であることを表示する（ステップＳ２０８）。
【００６９】
一方、指示受付部１５によって表示指示が受け付けられていない場合（ステップＳ２０７；Ｎｏ）、表示部１４は、表示動作を行わず、本動作は終了する。なお、ステップＳ２０７は省略可能であり、表示部１４は、指示受付部１５によって表示指示が受け付けられたか否かに関係なく、推定部１３による推定結果に従ってＵＥ１０がＬＴＥセルＢの圏外であることを表示してもよい。
【００７０】
このように、推定部１３は、報知情報にＬＴＥセル検出識別子が含まれるか否かによって、ＵＥ１０がＬＴＥセルＢの圏内であるか否かを推定し、表示部１４は、推定部１３による推定結果に応じて、ＬＴＥセルＢの圏内であるか否かを表示させることができる。したがって、在圏セルであるＵＭＴＳセルＡにおける無線環境が良好であり、在圏セルをＬＴＥセルに変更する必要がない場合であっても、表示画面にＬＴＥセルの圏内であるか否かを示させるためだけに、在圏セルであるＵＭＴＳセルＡよりも優先度の高いＬＴＥセルＢのセルサーチである高優先度セルサーチ（Ｈｉｇｈｅｒ）  Ｐｒｉｏｒｉｔｙ  Ｓｅａｒｃｈ）を行う必要がなく、移動端末の処理負荷や消費電力を軽減することができる。
【００７１】
（２）共通優先度情報に従った表示制御動作
図６は、本発明の第１の実施形態に係る共通優先度情報に従った表示制御動作を説明するための図である。図６において、ＵＥ１０は、ＵＭＴＳセルＡを在圏セルとしているものとする。また、ＵＥ１０の優先度判断部１２は、ＲＮＣ３０からの報知情報に含まれる共通優先度情報に従って、ＵＭＴＳセルＡよりもＬＴＥセルＢの優先度が低いと判断しているものとする。
【００７２】
なお、図６では、ＲＮＣ３０から報知される報知情報を「ＳＩＢ１９」として、ＬＴＥセル検出し識別子を「ＴＲＵＥ」に設定された「Ｅ−ＵＴＲＡ  Ｄｅｔｅｃｔｉｏｎ」として説明を行うものとする。
【００７３】
図６Ａ、Ｄでは、ＲＮＣ３０から報知された「ＳＩＢ１９」に「ＴＲＵＥ」に設定された「Ｅ−ＵＴＲＡ  Ｄｅｔｅｃｔｉｏｎ」が含まれる。このため、ＵＥ１０の推定部１３は、在圏セルであるＵＭＴＳセルＡよりも優先度が低いＬＴＥセルＢの低優先度セルサーチを行わずに、ＵＥ１０がＬＴＥセルＢの圏内であると推定する。また、表示部１４は、図３Ａに示すように、ＵＥ１０がＬＴＥセルＢの圏内であることを表示する。
【００７４】
一方、図６Ｂでは、ＲＮＣ３０から報知された「ＳＩＢ１９」に「Ｅ−ＵＴＲＡ  Ｄｅｔｅｃｔｉｏｎ」の情報要素自体が含まれない。このため、ＵＥ１０の推定部１３は、上述の低優先度セルサーチを行わずに、ＵＥ１０がＬＴＥセルＢの圏外であると推定する。また、表示部１４は、図３Ｂに示すように、ＵＥ１０がＬＴＥセルＢの圏内であることを表示しなくてもよいし、図３Ｃに示すように、ＵＥ１０がＬＴＥセルＢの圏外であることを表示してもよい。
【００７５】
また、図６Ｃでは、ＲＮＣ３０から報知された「ＳＩＢ１９」に「ＦＡＬＳＥ」に設定された「Ｅ−ＵＴＲＡ  Ｄｅｔｅｃｔｉｏｎ」が含まれる。このため、ＵＥ１０の推定部１３は、上述の低優先度セルサーチを行わずに、ＵＥ１０がＬＴＥセルＢの圏外であると推定する。また、表示部１４は、図３Ｂに示すように、ＵＥ１０がＬＴＥセルＢの圏内であることを表示しなくてもよいし、図３Ｃに示すように、ＵＥ１０がＬＴＥセルＢの圏外であることを表示してもよい。かかる状態は、ＬＴＥセルＢは存在しているが、ネットワークオペレータがＬＴＥセルＢの圏内であることをユーザに通知することを希望していない場合に生じる。
【００７６】
なお、上述の表示制御動作は、ＵＥ１０の優先度判断部１２が、ＲＮＣ３０から報知情報に含まれる共通優先度情報に従って、ＵＭＴＳセルＡよりもＬＴＥセルＢの優先度が高いと判断している場合にも、適用可能である。かかる場合、推定部１３は、在圏セルであるＵＭＴＳセルＡよりも優先度が高いＬＴＥセルＢの高優先度セルサーチを行わずに、ＵＥ１０がＬＴＥセルＢの圏内であるか否かを推定でき、表示部１４は、ＬＴＥセルＢの圏内であるか否かを表示できる。
【００７７】
（３）個別優先度情報に従った表示制御動作
図７は、本発明の第１の実施形態に係る移動通信システムにおいて個別優先度情報に従った表示制御動作を説明するための図である。図７において、ＵＥ１０は、ＵＭＴＳセルＡを在圏セルとしているものとする。また、ＵＥ１０の無線通信部１１は、図７Ａ〜ＤのそれぞれでＲＮＣ３０から報知される報知情報を受信するとともに、図７ＡでＲＮＣ３０から個別に通知された個別優先度情報を受信するものとする。また、図７Ａ〜Ｄにおいて、優先度判断部１２は、図７Ａで通知された個別優先度情報に従って、ＵＭＴＳセルＡよりもＬＴＥセルＢの優先度が低いと判断しているものとする。
【００７８】
なお、図７では、ＲＮＣ３０から報知される報知情報を「ＳＩＢ１９」として、ＲＮＣ３０から個別に通知される個別優先度情報を「ＵＴＲＡＮ  Ｍｏｂｉｌｉｔｙ  Ｉｎｆｏｒｍａｔｉｏｎ」として、ＬＴＥセル検出識別子を「ＴＲＵＥ」に設定された「Ｅ−ＵＴＲＡ  Ｄｅｔｅｃｔｉｏｎ」として説明を行うものとする。
【００７９】
図７Ａ、Ｄでは、「ＵＴＲＡＮ  Ｍｏｂｉｌｉｔｙ  Ｉｎｆｏｍａｔｉｏｎ」と、「ＳＩＢ１９」とのいずれにも「ＴＲＵＥ」に設定された「Ｅ−ＵＴＲＡ  Ｄｅｔｅｃｔｉｏｎ」が含まれる。このため、ＵＥ１０の推定部１３は、上述の低優先度セルサーチを行わずに、ＵＥ１０がＬＴＥセルＢの圏内であると推定する。また、表示部１４は、図３Ａに示すように、ＵＥ１０がＬＴＥセルＢの圏内であることを表示する。
【００８０】
一方、図７Ｂでは、「ＵＴＲＡＮ  Ｍｏｂｉｌｉｔｙ  Ｉｎｆｏｍａｔｉｏｎ」には、「ＴＲＵＥ」に設定された「Ｅ−ＵＴＲＡ  Ｄｅｔｅｃｔｉｏｎ」が含まれるが、「ＳＩＢ１９」には、「Ｅ−ＵＴＲＡ  Ｄｅｔｅｃｔｉｏｎ」の情報要素自体が含まれない。かかる状態は、「ＳＩＢ１９」が無線環境やネットワーク状況等に応じて適宜更新されるのに対して、「ＵＴＲＡＮ  Ｍｏｂｉｌｉｔｙ  Ｉｎｆｏｍａｔｉｏｎ」は更新されないことに起因して生じる。
【００８１】
図７Ｂにおいて、ＵＥ１０の推定部１３は、「ＳＩＢ１９」に「Ｅ−ＵＴＲＡ  Ｄｅｔｅｃｔｉｏｎ」の情報要素自体が含まれなかったので、上述の低優先度セルサーチを行わずに、ＵＥ１０がＬＴＥセルＢの圏外であると推定する。また、表示部１４は、上述のように、図３Ｂに示すように、ＵＥ１０がＬＴＥセルＢの圏内であることを表示しなくてもよいし、図３Ｃに示すように、ＵＥ１０がＬＴＥセルＢの圏外であることを表示してもよい。このような表示制御により、ＵＥ１０が既にＬＴＥセルＢの圏外に移動しているのに、ＬＴＥセルＢの圏内のままであると推定してしまうのを防止することができる。
【００８２】
また、図７Ｃでは、「ＵＴＲＡＮ  Ｍｏｂｉｌｉｔｙ  Ｉｎｆｏｍａｔｉｏｎ」には、「ＴＲＵＥ」に設定された「Ｅ−ＵＴＲＡ  Ｄｅｔｅｃｔｉｏｎ」が含まれ、「ＳＩＢ１９」には、「ＳＩＢ１９」に「ＦＡＬＳＥ」に設定された「Ｅ−ＵＴＲＡ  Ｄｅｔｅｃｔｉｏｎ」が含まれる。かかる状態は、ＬＴＥセルＢは存在しているが、ネットワークオペレータがＬＴＥセルＢの圏内であることをユーザに通知することを希望していない場合に生じる。
【００８３】
図７Ｃにおいて、ＵＥ１０の推定部１３は、「ＳＩＢ１９」に「ＦＡＬＳＥ」に設定された「Ｅ−ＵＴＲＡ  Ｄｅｔｅｃｔｉｏｎ」が含まれるので、上述の低優先度セルサーチを行わずに、ＵＥ１０がＬＴＥセルＢの圏外であると推定する。また、表示部１４は、上述のように、図３Ｂに示すように、ＵＥ１０がＬＴＥセルＢの圏内であることを表示しなくてもよいし、図３Ｃに示すように、ＵＥ１０がＬＴＥセルＢの圏外であることを表示してもよい。このような表示制御により、ネットワークオペレータの希望に反して、ＬＴＥセルＢの圏内であることがユーザに通知されてしまうのを防止することができる。
【００８４】
なお、上述の表示制御動作は、ＵＥ１０の優先度判断部１２が、ＲＮＣ３０から報知情報に含まれる個別優先度情報に従って、ＵＭＴＳセルＡよりもＬＴＥセルＢの優先度が高いと判断している場合にも、適用可能である。かかる場合、推定部１３は、上述の高優先度セルサーチを行わずに、ＵＥ１０がＬＴＥセルＢの圏内であるか否かを推定でき、表示部１４は、ＬＴＥセルＢの圏内であるか否かを表示できる。
【００８５】
＜作用・効果＞
第１の実施形態に係る移動通信システムによれば、ＵＭＴＳセルＡを在圏セルとするＵＥ１０が、報知情報にＬＴＥセル検出識別子が含まれるか否かだけによって、表示画面にＬＴＥセルＢの圏内であることを表示させることができる。したがって、表示画面にＬＴＥセルＢの圏内であることを表示させるためだけに、在圏セルよりも優先度の低いＬＴＥセルＢの低優先度セルサーチや在圏セルよりも優先度の高いＬＴＥセルＢの高優先度セルサーチを行う必要がなく、セルサーチによる消費電力の増大を防止することができる。
【００８６】
また、第１の実施形態に係る移動通信システムによれば、ＵＭＴＳ方式のＲＮＣ３０から共通優先度情報が報知されるとともに、個別優先度情報が個別に通知される場合でも、ＵＥ１０は、ＵＭＴＳセルＡ及びＬＴＥセルＢの優先度を適切に判断することができる。
【００８７】
また、第１の実施形態に係る移動通信システムによれば、ＵＥ１０に個別に通知された個別優先度情報に基づいてＵＭＴＳセルＡ及びＬＴＥセルＢの優先度が判断される場合であっても、無線環境やネットワーク状況等に応じて適宜更新される報知情報にＬＴＥセル検出識別子が含まれるか否かによって、ＵＥ１０がＬＴＥセルＢの圏内であるか否かを推定することができる。したがって、ＵＥ１０が既にＬＴＥセルＢの圏外に移動しているのに、古い個別優先度情報に基づいて、ＬＴＥセルＢの圏内であると推定してしまうのを防止することができる。
【００８８】
上述の実施形態を用いて本発明について詳細に説明したが、当業者にとっては、本発明が本明細書中に説明した実施形態に限定されるものではないということは明らかである。
【００８９】
例えば、上述の実施形態においては、無線通信部１１によって受信された報知情報にＬＴＥセル検出識別子が含まれる場合、ＵＥ１０は、自端末がＬＴＥセルＢの圏内であると推定して、ＬＴＥセルＢのセルサーチを行わずに、ＬＴＥセルＢの圏内であることを表示する。しかしながら、報知情報にＬＴＥ検出識別子が含まれる場合に、ＵＥ１０は、ＬＴＥセルＢのセルサーチを行った上で、セルサーチ結果に従ってＬＴＥセルＢの圏内であることを表示してもよい。具体的には、ＵＥ１０は、図４のステップＳ１０６において、ＬＴＥセルＢのセルサーチを行い、当該セルサーチによりＬＴＥセルＢが検出された場合に、ＬＴＥセルＢの圏内であることを表示してもよい。かかる場合、報知情報にＬＴＥ検出識別子が含まれない場合にはＬＴＥセルＢのセルサーチを行わないので、ＬＴＥ検出識別子が含まれるか否かに関係なくセルサーチを行う場合と比較して、ＵＥ１０の処理負荷や消費電力を軽減できる。また、ＵＥ１０は、セルサーチによりＬＴＥセルＢが検出された場合にＬＴＥセルＢの圏内であることを表示するので、ＬＴＥセルＢの圏内であるか否かの表示精度を向上させることができる。
【００９０】
本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００９１】
本出願は、２０１０年３月３１日出願の特願２０１０−０８１８３６基づく。この内容は、全てここに含めておく。
【図１】
0005474180.tif 000002
【図２】
0005474180.tif 000003
【図３】
0005474180.tif 000004
【図４】
0005474180.tif 000005
【図５】
0005474180.tif 000006
【図６】
0005474180.tif 000007
【図７】
0005474180.tif 000008